(57)【要約】【課題】洗浄性、スチレン系樹脂等のプラスチック基材に対する基材損傷抑制、洗浄後の被洗浄面の仕上がり性に優れると共に、皮膚刺激性が少なく、広範囲な被洗浄物に対して適用可能な洗浄剤組成物を提供する。【解決手段】（Ａ）テルペン系炭化水素、（Ｂ）スルホコハク酸塩、並びに、（Ｃ）揮発性若しくは液状アミン化合物、及び／又は、金属イオン封鎖剤を含有することを特徴とする洗浄剤組成物である。【選択図】　　なし【特許請求の範囲】
【請求項１】
（Ａ）テルペン系炭化水素、（Ｂ）スルホコハク酸塩、並びに、（Ｃ）揮発性若しくは液状アミン化合物、及び／又は、金属イオン封鎖剤、を含有することを特徴とする洗浄剤組成物。
【請求項２】
前記（Ｂ）スルホコハク酸塩が、スルホコハク酸アルキル二塩、ポリオキシエチレンアルキルスルホコハク酸二塩、スルホコハク酸ポリオキシエチレンアルキルエタノールアミド二塩、及び脂肪酸アミドスルホコハク酸二塩よりなる群から選ばれる１種以上である請求項１に記載の洗浄剤組成物。
【請求項３】
前記（Ａ）テルペン系炭化水素が、Ｄ−リモネンである請求項１又は２に記載の洗浄剤組成物。
【請求項４】
前記（Ａ）テルペン系炭化水素を０．０１〜５質量％、
前記（Ｂ）スルホコハク酸塩を０．０１〜３０質量％、
並びに、前記（Ｃ）揮発性若しくは液状アミン化合物を０．０１〜１０質量％、及び／又は、金属イオン封鎖剤を１〜２０質量％、
含有する請求項１から３のいずれかに記載の洗浄剤組成物。
【請求項５】
ｐＨが６．０〜８．０であり、かつ浴室用洗浄剤組成物である請求項１から４のいずれかに記載の洗浄剤組成物。
【請求項６】
ｐＨが８．０〜１２．０であり、かつ住居用洗浄剤組成物である請求項１から４のいずれかに記載の洗浄剤組成物。
【発明の詳細な説明】
【０００１】
【発明の属する技術分野】
本発明は洗浄剤組成物に関し、より詳細には、高い洗浄性、スチレン系樹脂等のプラスチック基材に対する基材損傷抑制、洗浄後の被洗浄面の仕上がり性に優れ、かつ皮膚刺激性の少ない、浴室用洗浄剤及び住居用洗浄剤等として好適な洗浄剤組成物に関する。
【０００２】
【従来の技術】
一般に、固体表面の汚れは、汚染されてから洗浄するまでの時間が長引くと、基質面への付着が強くなるために洗浄が困難になる。このような洗浄困難な汚れとしては、例えば、ヤニ汚れ等の油汚れや浴室等の石鹸カス汚れ等が住まい全般に亘って存在している。通常、かかる汚れを除去するための洗浄剤としては、ガラス、床、台所、浴室等の被洗浄物に応じて異なる洗浄剤が使用されている。
【０００３】
また、上記したような用途に使用される洗浄剤としては、無機系の強アルカリ剤を主体とする洗浄剤、あるいは有機アミン類、水溶性有機溶剤を主体とした洗浄剤等が知られている。しかしながら、これらの洗浄剤には、被洗浄面の仕上がり性が悪いものや、手肌に対する皮膚刺激が強いものが少なくないという問題があった。
【０００４】
さらに、洗浄剤に対しては、洗浄力に加えて被洗浄物である器材への損傷が無いことも求められている。例えば、洗浄剤によっては、スチレン系樹脂からなる基材（ＡＢＳ樹脂等）、スチレン系樹脂と他の材料（金属、ガラス等）を併用した基材等、最近多用されるようになってきたプラスチック基材を洗浄した場合、これらを損傷するおそれがあるものがあるという問題があった。
【０００５】
一方、テルペン系炭化水素は、油汚れに対して優れた洗浄力を持つことが知られている。しかしながら、洗浄剤中のテルペン系炭化水素含有量が多い場合は、臭気が強く使用者に不快感を与えると同時にスチレン系樹脂に損傷を与えるという問題があった。
【０００６】
【発明が解決しようとする課題】
本発明は、前記従来における問題を解決し、以下の目的を達成するとことを課題とする。
即ち、本発明は、洗浄性、スチレン系樹脂等のプラスチック基材に対する基材損傷抑制、洗浄後の被洗浄面の仕上がり性に優れると共に、皮膚刺激性が少なく、広範囲な被洗浄物に対して適用可能な洗浄剤組成物を提供することを目的とする。
【０００７】
【課題を解決するための手段】
前記課題を解決するための手段は以下の通りである。
＜１＞　（Ａ）テルペン系炭化水素、（Ｂ）スルホコハク酸塩、並びに、（Ｃ）揮発性若しくは液状アミン化合物、及び／又は、金属イオン封鎖剤を含有することを特徴とする洗浄剤組成物である。
【０００８】
＜２＞　前記（Ｂ）スルホコハク酸塩が、スルホコハク酸アルキル二塩、ポリオキシエチレンアルキルスルホコハク酸二塩、スルホコハク酸ポリオキシエチレンアルキルエタノールアミド二塩、及び脂肪酸アミドスルホコハク酸二塩よりなる群から選ばれる１種以上である前記＜１＞に記載の洗浄剤組成物である。
【０００９】
＜３＞　前記（Ａ）テルペン系炭化水素が、Ｄ−リモネンである前記＜１＞又は＜２＞に記載の洗浄剤組成物である。
【００１０】
＜４＞　前記（Ａ）テルペン系炭化水素を０．０１〜５質量％、
前記（Ｂ）スルホコハク酸塩を０．０１〜３０質量％、
前記（Ｃ）揮発性若しくは液状アミン化合物を０．０１〜１０質量％及び／又は金属イオン封鎖剤を１〜２０質量％、
含有する前記＜１＞から＜３＞にのいずれかに記載の洗浄剤組成物である。
【００１１】
＜５＞　ｐＨが６．０〜８．０であり、かつ浴室用洗浄剤組成物である前記＜１＞から＜４＞のいずれかに記載の洗浄剤組成物である。
【００１２】
＜６＞　ｐＨが８．０〜１２．０であり、かつ住居用洗浄剤組成物である＜１＞から＜４＞のいずれかに記載の洗浄剤組成物である。
【００１３】
本発明の洗浄剤組成物は、上記組成としたことにより、洗浄性、基材損傷抑制、洗浄後の被洗浄面の仕上がり性、皮膚刺激性のいずれにおいても優れた効果を発揮することができる。さらに、本発明の洗浄剤組成物は、ｐＨを調製することにより広範囲な被洗浄物に対して適用可能であり、しかも上記したいずれの効果についても損ねることがないという優れた利点を有する。
【００１４】
【発明の実施の形態】
以下、本発明の洗浄剤組成物について詳細に説明する。
本発明の洗浄剤組成物は、（Ａ）テルペン系炭化水素、（Ｂ）スルホコハク酸塩、並びに、（Ｃ）揮発性若しくは液状アミン化合物、及び／又は、金属イオン封鎖剤、を含有することを特徴とする。
以下、本発明の洗浄剤組成物に含有される各成分について順次説明する。
【００１５】
〔（Ａ）テルペン系炭化水素〕
本発明の洗浄剤組成物は、（Ａ）テルペン系炭化水素を含有する。該テルペン系炭化水素としては、Ｄ−又はＬ−リモネン（オレンジ油、レモン油等に含有）、α−ピネン（テレピン油等に含有）、α−テレピネオール等のモノテルペン系炭化水素（パイン油等に含有）、カリオフムレン、セレドレン等のセスキテルペン系炭化水素等（シダ油、クローバ油、カナンガ油に多く含有）が好適に挙げられる。これらの中でも、洗浄力、及び、使用者における香りの嗜好性の観点から、Ｄ−又はＬ−リモネンがより好ましく、Ｄ−リモネンが特に好ましい。
これらは、一種単独で用いてもよいし、２種以上を併用してもよい。
【００１６】
本発明における（Ａ）成分の含有量は、充分な洗浄力の付与という観点から、０．０１〜５質量％が好ましく、０．１〜２質量％がより好ましい。
【００１７】
〔（Ｂ）スルホコハク酸塩〕
本発明の洗浄剤組成物は、（Ｂ）スルホコハク酸塩を含有する。該スルホコハク酸塩としては、アニオン系界面活性剤として知られているモノエステル型又はジエステル型のスルホコハク酸塩が挙げられ、スルホコハク酸アルキル二塩、ポリオキシエチレンアルキルスルホコハク酸二塩、スルホコハク酸ポリオキシエチレンアルキルエタノールアミド二塩、及び脂肪酸アミドスルホコハク酸二塩よりなる群から選ばれる１種以上であることが好ましい。これらの中でも、エステルを形成するアルキル基の炭素数が１２〜１８のものがより好ましく、炭素数が１２〜１４であるものが特に好ましい。
具体的には、例えば、スルホコハク酸ラウリル二ナトリウム、ポリオキシエチレン（好ましくは、ＥＯ＝１〜４）スルホコハク酸ラウリル二ナトリウム、オレイン酸アミドスルホコハク酸二ナトリウム、スルホコハク酸ポリオキシエチレンラウロイルエタノールアミド二ナトリウム塩、等が好適に挙げられる。また、市販品を用いる場合であれば、テイカマイルドＦＥ−１４０、テイカマイルドＦＥ−３４０（以上、テイカ（株）製）、コハクールＬ−４０、コハクールＬ−１００、コハクールＬ−３００、コハクールＬ−４００Ａ、コハクールＮＬ−４００（以上、東邦化学工業（株）製）、ビューライトＥＳＳ（三洋化成工業（株）製）等が好適に挙げられる。
これらは、１種単独で用いてもよいし、２種以上を併用してもよい。
【００１８】
本発明における（Ｂ）成分の含有量は、仕上がり性及び製造コストの観点から、０．０１〜３０質量％が好ましく、０．５〜１５質量％がより好ましい。
【００１９】
前記（Ｂ）成分であるスルホコハク酸塩は、硫酸エステル型アニオン性界面活性剤等に比べて皮膚刺激性が少ないことから、本発明の洗浄剤組成物中に必須に含有されるが、洗浄力の更なる向上等の点から、本発明の効果を損なわない範囲で、さらに公知の他の界面活性剤を併用することができる。
例えば、洗浄性の更なる向上の観点からは、ポリオキシエチレンアルキルエーテル硫酸塩（例えば、テイカポールＮＥ−１２３０（テイカ（株）製）、サンデットＥＮ（三洋化成工業（株）製）、等を用いることが好ましい。
【００２０】
併用可能な他の界面活性剤としては、上記以外にも、通常の住居用洗剤及び浴室用洗剤として用いられるものが挙げられる。例えば、ポリオキシエチレン長鎖アルキルエーテル、脂肪酸ジエタノールアミド等の非イオン性界面活性剤；アルキルエーテル硫酸エステル塩、アルキルベンゼンスルホン酸塩等のアニオン性界面活性剤；塩化ベンザルコニウム、ジアルキルジメチルアンモニウムハライド等のカチオン性界面活性剤が挙げられる。
本発明の洗浄剤組成物に、上記界面活性剤を併用する場合の含有量としては、前記（Ｂ）成分に対して、１／５〜１／２程度が好ましい。
【００２１】
〔（Ｃ）揮発性若しくは液状アミン化合物、金属イオン封鎖剤〕
本発明の洗浄剤組成物は、（Ｃ）揮発性若しくは液状アミン化合物、及び／又は、金属イオン封鎖剤を含有する。
本発明の洗浄剤組成物中には、上記（Ｃ）揮発性若しくは液状アミン化合物、及び金属イオン封鎖剤の少なくとも一方が含有されていることを要するが、いずれか一方のみを１種又は２種以上併用して用いてもよいし、双方から１種又は２種以上選択し、これを組み合わせて用いてもよい。
以下、本発明に好適に用いられる揮発性若しくは液状アミン化合物、及び金属イオン封鎖剤について説明する。
【００２２】
−揮発性若しくは液状アミン化合物−
本発明における（Ｃ）揮発性若しくは液状アミン化合物としては、例えば、アンモニア、モノエタノールアミン、ジエタノールアミン、トリエタノールアミン、ジエチルアミノエタノール、モルホリン、及びモルホリン誘導体化合物等が好適に挙げられ、これらの中でもモノエタノールアミン及びモルホリンが特に好ましい。
【００２３】
本発明における揮発性若しくは液状アミン化合物の含有量は、０．０１〜１０質量％が好ましく、０．１〜５質量％がより好ましい。０．０１質量％未満であると洗浄力が低下する場合があり、１０質量％を越えるとスプレータイプで使用した場合に噴霧時の臭いが悪化する場合がある。
【００２４】
−金属封イオン鎖剤−
本発明における金属イオン封鎖剤としては、金属イオンをキレートすることができるものであれば特に制限はないが、本発明においては、エチレンジアミンテトラ酢酸、ヒドロキシエチルエチレンジアミントリ酢酸、トリエチレンテトラミンヘキサ酢酸、ニトリロトリ酢酸、エチレンジアミンテトラ（メチレンホスホン酸）、アミノトリ（メチレンホスホン酸）、クエン酸、酒石酸、リンゴ酸、マレイン酸、ポリアクリル酸、グルコン酸、イミジノ酢酸、ヒドロキシベンジルイミジノ酢酸等、及びこれらの水溶性塩が挙げられる。該水溶性塩としては、ナトリウム塩、カリウム塩等のアルカリ金属塩等が挙げられる。
【００２５】
本発明における金属イオン封鎖剤の含有量は、１〜２０質量％が好ましく、２〜１０質量％が特に好ましい。含有量が１質量％未満であると、充分な効果を得られない場合があり、２０質量％を越えると、保存中に金属イオン封鎖剤の析出が生じ、品質の低下を招来する場合がある。
【００２６】
〔その他の成分〕
本発明の洗浄剤組成物においては、前記した各成分の他、各種低温安定化剤、香料、染料、顔料、防腐剤、殺菌剤、アルコール等の水溶性溶剤、可溶化剤、等の任意の成分を適宜添加することができる。
【００２７】
〔ｐＨ〕
本発明の洗浄剤組成物におけるｐＨは、適用される被洗浄物によって適宜調整することができる。例えば、浴室用洗浄剤組成物として用いる場合には、ｐＨが６．０〜８．０の範囲とすることが好ましい。住居用洗浄剤組成物として用いる場合には、ｐＨが８．０〜１２．０の範囲とすることが好ましく、８．０〜１０．９の範囲とすることがより好ましい。
ｐＨの調整方法としては、特に制限はなく、例えば、酸、アルカリ剤、キレート剤等による調整などの調整方法を適宜用いればよい。
【００２８】
本発明の洗浄剤組成物は、住居用洗浄剤として、窓ガラス等のガラス製品、リビングの床、家具、台所廻り、鏡、等に付着した、油汚れ（手垢、ヤニ汚れ、等）の洗浄用途に好適に用いられる。また、浴室用洗浄剤としては、浴室内の浴槽、洗面器等のプラスチック製品、などに付着した、石鹸カス汚れ、皮脂汚れ、等の洗浄用途に好適に用いられる。
【００２９】
本発明の洗浄剤組成物の使用方法は、特に限定されないが、原液で使用するスプレータイプや不織布などに含浸させる方法、任意の噴霧容器に加圧充填して用いるエアゾールタイプ等の方法が挙げられる。
なお、本発明の洗浄剤組成物を、エアゾールのような形態で使用する場合には、缶腐食を防止するため、ケイ酸ソーダ、ベンゾトリアゾール、安息香酸ソーダ、亜硝酸ソーダ等の化合物を防錆剤として使用することができる。
【００３０】
【実施例】
以下に、本発明を実施例によって具体的に説明するが、本発明はこれらに限定されるものではない。
【００３１】
（実施例１〜５、比較例１〜３）
表１に記載の組成を有する各洗浄剤組成物（住居用）を調製し、これらを用いて以下の評価方法により、洗浄性（石鹸カス汚れ）、基材損傷抑制、仕上がり性、及び皮膚刺激性についての各試験を行った。
【００３２】
１（Ａ）．洗浄力試験（ヤニ汚れ）
７６×２６ｍｍガラス板上に、タバコのヤニを強制的に付着させたものをテストプレートとした。このテストプレートを調整した各洗浄剤組成物１００ｍｌ中に浸漬し、汚れの剥離状態を下記の評価基準にて目視評価した。結果を表１に併記する。
−評価基準−
○：　汚れが８割以上落ちた。
△：　汚れが２〜５割落ちた。
×：　汚れが殆ど落ちなかった。
【００３３】
２．基材損傷抑制試験（ポリスチレン樹脂に対する損傷抑制）
２．０×３０×４０ｍｍのポリスチレン樹脂（日本タクト（株）製）テストピースを、調整した各洗浄剤組成物５０ｍｌ中に浸漬し、２０℃で２４時間放置した後、テストピース表面の状態を目視により観察し、下記の評価基準にて基材損傷抑制を評価した。結果を表１に併記する。
−評価基準−
○：　異常無し
×：　表面が損傷されていた
【００３４】
３．仕上がり性試験
調整した各洗浄剤組成物を、市販のスプレーヤーを用いて窓ガラスに３回スプレーし、乾いたタオルで拭き取り、下記の評価基準にて官能評価した。結果を表１に併記する。
−評価基準−
○：　拭き筋がほとんど残らなかった（二度拭きしなくともよい）
△：　やや拭き筋が残った
×：　拭き筋が残った
【００３５】
４．皮膚刺激性
調整した各洗浄剤組成物を、１００人のモニターに使用してもらい、皮膚刺激性の有無（手肌に対する刺激の有無）に関して、下記１〜５で表示された回答番号のいずれに該当するかについての回答を得た。
−回答番号−
５：皮膚刺激性がないと思う
４：皮膚刺激性があまりないと思う
３：どちらとも言えない
２：皮膚刺激性がややあるように思う
１：皮膚刺激性があるように思う
【００３６】
得られた回答番号を点数として、その平均値を算出し、以下の基準により評価した。結果を表１に併記する。
−評価基準−
◎　：　平均値４以上
○　：　平均値３以上４未満
△　：　平均値２以上３未満
×　：　平均値２未満
【００３７】
【表１】
2004035816.tif 000002
【００３８】
（実施例６〜１０、比較例４〜６）
表２に記載の組成を有する各洗浄剤組成物（浴室用）を調製し、これらを用いて洗浄性（石鹸カス汚れ）については以下の評価方法により、基材損傷抑制、仕上がり性、及び皮膚刺激性については実施例１と同様にして、各試験を行った。結果を表２に併記する。
【００３９】
１（Ｂ）．洗浄力試験（石鹸カス汚れ）
一般家庭で約３ヶ月間使用し、石鹸カス等の汚れが付着したポリプロピレン製の洗面器を、調整した各洗浄剤組成物５ｇを含ませたスポンジを用い、１０往復擦り洗いをしてからウエス拭きあげ、その洗浄力を下記評価基準にて、目視評価した。結果を表２に併記する。
−評価基準−
◎：　完全に汚れが落ちた。
○：　４分の３以上の汚れが落ちた。
△：　半分程度の汚れしか落ちなかった。
×：　汚れが全く落ちなかった。
【００４０】
【表２】
2004035816.tif 000003
【００４１】
表１及び２に示されるように、本発明の洗浄剤組成物は、洗浄力、基材損傷抑制、仕上がり性、皮膚刺激性のいずれにおいても優れていることがわかる。さらに、本発明の洗浄剤組成物は、広範囲な被洗浄物に対して適用可能であることがわかる。
【００４２】
【発明の効果】
本発明によれば、洗浄性、スチレン系樹脂等のプラスチック基材に対する基材損傷抑制、洗浄後の被洗浄面の仕上がり性に優れると共に、皮膚刺激性が少なく、広範囲な被洗浄物に対して適用可能な洗浄剤組成物を提供することができる。